(57)【要約】  簡素な構成で、強力で安定的な打撃をサポートできる衝撃吸収部材を提供する。  衝撃吸収部材は、可撓性のシート状体から形成される本体部と、前記本体部に配設される複数の開口孔から形成され、一の開口孔に着用者の親指を挿通すると共に、少なくとも他の開口孔に着用者の人指し指を挿通して嵌合可能な指嵌合部と、を備える。
2019111762.tif 000002
【特許請求の範囲】
【請求項１】
可撓性のシート状体から形成される本体部と、
前記本体部に配設される複数の開口孔から形成され、一の開口孔に着用者の親指を挿通すると共に、少なくとも他の開口孔に着用者の人指し指を挿通して嵌合可能な指嵌合部と、
を備えることを特徴とする
衝撃吸収部材。
【請求項２】
請求項１に記載の衝撃吸収部材において、
前記本体部の両端部が、異なる面積を有することを特徴とする
衝撃吸収部材。
【請求項３】
請求項１または請求項２に記載の衝撃吸収部材において、
前記本体部が、各開口孔間の中間領域のうちの少なくとも１つに衝撃吸収材を有することを特徴とする
衝撃吸収部材。
【請求項４】
請求項１〜３のいずれかに記載の衝撃吸収部材において、
前記本体部が、多層構造のシート状体から形成されることを特徴とする
衝撃吸収部材。
【請求項５】
請求項１〜４のいずれかに記載の衝撃吸収部材において、
前記本体部が、着用者の手の掌側よりも手の甲側が厚いことを特徴とする
衝撃吸収部材。
【発明の詳細な説明】
【技術分野】
【０００１】
本発明は、各種の作業用具のグリップに取り付けて衝撃を吸収する衝撃吸収部材に関し、特に優れた衝撃吸収性及び高い固定性を発揮する衝撃吸収部材に関する。
【背景技術】
【０００２】
向かってくるボールをバットやラケット等のスポーツ用具で打ち返す各種のスポーツでは、強いボールを打ち返すことや、早いボールを打ち返すことが、競技で勝利を収めるために重要なファクターとなっている。そのため、このようなスポーツでは、打者（選手）がその手に力を込められるように、スポーツ用具のグリップ（握り部分）と手とがしっかりと固定されることが求められている。さらに、打球時の手の負担をやわらげるために、打球時の衝撃を抑えることも求められている。【０００３】
このようなスポーツの主要なものの一つとしては、野球があり、上記スポーツ用具としては、野球バットが相当する。野球における打者が野球バットを用いて力強い打球を飛ばすためには、打点時の衝撃に負けないように、しっかりとグリップに手を固定すると共に打球時の衝撃を抑えることによって、高い打撃力と打球にジャストミートする確率を共に高めることが重要である。この他にも、競技人口が多いスポーツとして、テニスがあり、上記スポーツ用具としては、テニスラケットが相当する。【０００４】
従来から、例えばスポーツ用具である野球バットを持つ手に着用する各種の衝撃吸収部材が提案されている。【０００５】
従来の衝撃吸収部材としては、例えば、衝撃吸収材料から作製され、バッターの親指にフィットするように合わせられた環部分およびバッターの親指と人差し指との間の掌領域をクッションで覆うための付属物を有する本体、を備えるバッティングパッドがある（例えば、特許文献１参照）。
【先行技術文献】
【特許文献】
【０００６】
【特許文献１】特表２００３−５２７１７９号公報
【発明の概要】
【発明が解決しようとする課題】
【０００７】
しかし、従来の衝撃吸収部材では、例えば、上記特許文献１のように、着用者の親指にフィットするように合わせられた環部分およびバッターの親指と人差し指との間の掌領域をクッションで覆うものがあるが、打撃時に手に伝わる衝撃力の大きさによっては、親指のみで固定されたバッティングパッドがぐらつき易くなり、当該固定が不安定となり、バッティングパッドを安定的に固定するための力を別途加えなければならなくなるという追加的な力の入れ方や動きが必要となってしまい、打撃時の安定性を低下させてしまうという課題がある。【０００８】
このように、従来の衝撃吸収部材では、着用者に強力で安定的な打撃をサポートできるものは未だ見当たらない。【０００９】
本発明は前記課題を解決するためになされたものであり、簡素な構成で、安定的な打撃をサポートできる衝撃吸収部材の提供を目的とする。
【課題を解決するための手段】
【００１０】
本願に開示する衝撃吸収部材は、可撓性のシート状体から形成される本体部と、前記本体部に配設される複数の開口孔から形成され、一の開口孔に着用者の親指を挿通すると共に、少なくとも他の開口孔に着用者の人指し指を挿通して嵌合可能な指嵌合部と、を備える構成である。【００１１】
このように、可撓性のシート状体から形成される本体部と、前記本体部に配設される複数の開口孔から形成され、一の開口孔に着用者の親指を挿通すると共に、少なくとも他の開口孔に着用者の人指し指を挿通して嵌合可能な指嵌合部と、を備えることから、複数の指（例えば、親指と人差し指など）が確実に固定され、複数の指の間でスポーツ用具（例えば、野球バットやテニスラケット）や各種作業用具をしっかりと固定できることとなり、打球時の安定性が高められ、スポーツ用具や各種作業用具から手に伝わる衝撃が抑制されると共に、スポーツ用具や各種作業用具に効率よく強い力を伝えることができる。【００１２】
本願に開示する衝撃吸収部材は、必要に応じて、前記本体部の両端部が、異なる面積を有する構成である。このように、前記本体部の両端部が、異なる面積を有することから、最も力強くスポーツ用具（例えば、野球バットやテニスラケット）や各種作業用具を握る指周辺を重点的に支えると共に、ある程度の可動範囲を必要とする指周辺を必要最低限の厚みで覆うことが可能となり、手にフィットした強固な固定感が得られ、強度と固定性を両立したバランスの良い握りを実現することができ、スポーツ用具（例えば、野球バットやテニスラケット）や各種作業用具から手に伝わる衝撃が抑制されると共に、スポーツ用具（例えば、野球バットやテニスラケット）や各種作業用具に効率よく強い力を伝えることができる。【００１３】
また、本願に開示する衝撃吸収部材は、必要に応じて、前記本体部が、各開口孔間の中間領域のうちの少なくとも１つに衝撃吸収材を有するものである。このように、前記本体部が、各開口孔間の中間領域のうちの少なくとも１つに衝撃吸収材を有することから、スポーツ用具（例えば、野球バットやテニスラケット）や各種作業用具から最も強い衝撃を受ける指間の中間領域で、当該衝撃が吸収されやすくなることとなり、スポーツ用具（例えば、野球バットやテニスラケット）や各種作業用具から手に伝わる衝撃が抑制されると共に、強度と固定性を両立したバランスの良い握りを実現することができ、スポーツ用具（例えば、野球バットやテニスラケット）や各種作業用具に効率よく強い力を伝えることができる。【００１４】
また、本願に開示するグリップ用テープは、必要に応じて、前記本体部が、多層構造のシート状体から形成されるものである。このように、前記本体部が、多層構造のシート状体から形成されることから、当該多層構造により形成される厚みによって、さらに衝撃が吸収されやすくなることとなり、スポーツ用具（例えば、野球バットやテニスラケット）や各種作業用具から手に伝わる衝撃が抑制されると共に、強度と固定性を両立したバランスの良い握りを実現することができ、スポーツ用具（例えば、野球バットやテニスラケット）や各種作業用具に効率よく強い力を伝えることができる。【００１５】
また、本願に開示するグリップ用テープは、必要に応じて、前記本体部が、着用者の手の掌側よりも手の甲側が厚いものである。このように、前記本体部が、前記本体部が、着用者の手の掌側よりも手の甲側が厚いことから、当該厚みによって、スポーツ用具（例えば、野球バットやテニスラケット）や各種作業用具から手に伝わる衝撃を受け易い指間領域での衝撃が吸収されやすくなることとなり、スポーツ用具や各種作業用具から手に伝わる衝撃がさらに抑制されると共に、強度と固定性を両立したバランスの良い握りを実現することができ、スポーツ用具や各種作業用具に効率よく強い力を伝えることができる。
【図面の簡単な説明】
【００１６】
【図１】本発明の第１の実施形態に係る衝撃吸収部材の構成図を示す。
【図２】本発明の第１の実施形態に係る衝撃吸収部材の着用状態を表す説明図を示す。
【図３】本発明の第１の実施形態に係る衝撃吸収部材の構成図を示す。
【図４】本発明の第２の実施形態に係る衝撃吸収部材の構成図を示す。
【図５】本発明の第３の実施形態に係る衝撃吸収部材の構成図を示す。
【図６】本発明の第４の実施形態に係る衝撃吸収部材の構成図を示す。
【図７】本発明の第５の実施形態に係る衝撃吸収部材の構成図を示す。
【図８】本発明の第５の実施形態に係る衝撃吸収部材の構成図を示す。
【図９】本発明の第５の実施形態に係る衝撃吸収部材の構成図を示す。
【図１０】本発明のその他の実施形態に係る衝撃吸収部材の構成図を示す。
【発明を実施するための形態】
【００１７】
（第１の実施形態）
以下、第１の実施形態に係る衝撃吸収部材を図１および図２を用いて説明する。
【００１８】
第１の実施形態に係る衝撃吸収部材は、図１（ａ）に示すように、可撓性の横長のシート状体から形成される本体部１と、前記本体部１の横長方向（一の端部Ａから他の端部Ｂ）に沿って配設される複数の円形状の開口孔２ａおよび開口孔２ｂから形成され、この開口孔２ａおよび開口孔２ｂに着用者の一又は複数の指を挿通し嵌合可能な指嵌合部２と、を備える構成である。
【００１９】
この本体部１は、可撓性の横長のシート状体から形成され、例えば、図１（ａ）に示すように、長方形状とすることができる。このシート状体の材質としては、可撓性を有する素材、すなわち弾性変形をしやすい素材であれば特に限定されないが、合皮、動物皮、ポリエステルなどの合成樹脂、およびゴム材料などを用いることができ、例えば、合皮やポリエステルを用いることができる。
【００２０】
この本体部１は、その大きさとしては、特に限定されないが、この開口孔２ａおよび開口孔２ｂに嵌合させる指が親指と人差し指の場合には、親指と人差し指の間の平均的な長さを考慮して、例えば、縦の長さを約１０ｃｍ、横の長さを約２０ｃｍとすることができる。また、図１（ｂ）に示すように、この一の端部Ａおよび他の端部Ｂの両端部を曲線形状とすることも可能であり、着用した手に対して、柔らかい感触で当接されることとなり、使用感を向上させることができる。勿論、両端部のみを曲線形状とすることの他にも、この一の端部Ａおよび他の端部Ｂのうちの一方の端部のみを曲線形状とすることも可能である。
【００２１】
この指嵌合部２の開口孔２ａおよび開口孔２ｂに嵌合させる指については、スポーツ用具（例えば、野球バットやテニスラケット）や各種作業用具をしっかりと固定するという観点から、親指と人差し指とすることが好適であるが、この指の組み合わせに限定されない。例えば、親指と中指、親指と薬指、親指と小指、人差し指と中指、人差し指と薬指、人差し指と小指、中指と薬指、中指と小指、薬指と小指のいずれかを、この開口孔２ａおよび開口孔２ｂに嵌合させる構成とすることも可能である。
【００２２】
この開口孔２ａおよび開口孔２ｂの形状は、円形状であれば特に限定されないが、楕円形状とすることも可能である。この開口孔２ａおよび開口孔２ｂの内径は、特に限定されないが、着用者の指を挿通し嵌合し易いという点から、約５ｃｍ程度とすることができる。
【００２３】
本実施形態に係る衝撃吸収部材の着用例としては、図２（ａ）に示すように、着用者の手１００の親指１０１に開口孔２ａを嵌合し、人差し指１０２に開口孔２ｂを嵌合して、着用者の手１００に対して固定し着用することができる。
【００２４】
本実施形態に係る衝撃吸収部材は、図２（ｂ）に示すように、スポーツ用具や各種作業用具の一例として、例えば、野球バット２００のグリップを手１００で握った際に、手１００とグリップとの間に挟まれた位置に固定され、野球ボールの打撃時には、野球バット２００から手１００に伝わる衝撃を効果的に吸収する。
【００２５】
このように、本実施形態に係る衝撃吸収部材は、可撓性の横長のシート状体から形成される本体部１と、この本体部１の横長方向に沿って配設される複数の円形状の開口孔２ａおよび開口孔２ｂから形成され、この開口孔２ａおよび開口孔２ｂに着用者の一又は複数の指を挿通し嵌合可能な指嵌合部と、を備えることから、複数の指（例えば、親指と人差し指など）が確実に固定され、複数の指の間でスポーツ用具（例えば、野球バット２００）や各種作業用具をしっかりと固定できることとなり、打球時の安定性が高められ、スポーツ用具や各種作業用具から手に伝わる衝撃が抑制されると共に、スポーツ用具や各種作業用具に効率よく強い力を伝えることができる。
【００２６】
なお、上記実施形態では、複数の円形状の開口孔として、開口孔２ａおよび開口孔２ｂの２つが配設される構成としたが、この構成に限定されるものではない。例えば、図３（ａ）に示すように、複数の円形状の開口孔として、開口孔２ａ、開口孔２ｂ、および開口孔２ｃの３つが配設される構成とすることができる。これらの開口孔に嵌合する指の組み合わせとしては、「親指、人差し指、および中指」、「親指、人差し指、および薬指」、「親指、人差し指、および小指」、「親指、中指、および薬指」、「親指、中指、および小指」、「親指、薬指、および小指」、「人差し指、中指、および薬指」、「人差し指、中指、および小指」、「人差し指、薬指、および小指」、「中指、薬指、および小指」を挙げることができる。
【００２７】
また、例えば、図３（ｂ）に示すように、複数の円形状の開口孔として、開口孔２ａ、開口孔２ｂ、開口孔２ｃ、および開口孔２ｄの４つが配設される構成とすることも可能である。これらの開口孔に嵌合する指の組み合わせとしては、「親指、人差し指、中指、および薬指」、「親指、人差し指、中指、および小指」、「親指、人差し指、薬指、および小指」、「親指、中指、薬指、および小指」、「人差し指、中指、薬指、および小指」を挙げることができる。
【００２８】
また、例えば、図３（ｃ）に示すように、複数の円形状の開口孔として、開口孔２ａ、開口孔２ｂ、開口孔２ｃ、開口孔２ｄ、および開口孔２ｅの５つが配設される構成とすることも可能である。これらの開口孔に嵌合する指の組み合わせとしては、「親指、人差し指、中指、薬指、および小指」である。
【００２９】
なお、上記では、この指嵌合部２は、上記の開口孔１つあたり１つの指を挿通して嵌合させる構成としたが、この構成に限定されるものではなく、上記の開口孔１つあたり複数の指を挿通して嵌合させることも可能である。例えば、図３（ｄ）に示すように、この開口孔２ａには親指１０１を嵌合させると共に、この開口孔２ｂには人差し指１０２と中指１０３の２つの指を嵌合させる構成も可能である。
【００３０】
このように、本実施形態に係る衝撃吸収部材は、用途に応じた数の円形状の開口孔を配設することができ、様々なスポーツに適した開口孔を有して構成することができ、野球用やテニス用のスポーツ用具や各種作業用具に利用することが可能となる。
【００３１】
（第２の実施形態）
以下、第２の実施形態に係る衝撃吸収部材を図４を用いて説明する。
【００３２】
第２の実施形態に係る衝撃吸収部材は、第１の実施形態と同様に、前記本体部１と、前記指嵌合部２と、前記開口孔２ａと、前記開口孔２ｂと、を備え、さらに、図４（ａ）に示すように、前記本体部１の両端部が、異なる面積を有する構成として、前記本体部１が、前記一の端部Ａ側が前記他の端部Ｂ側より広い面積を有する構成である。
【００３３】
この本体部１の形状としては、前記本体部１の両端部が、異なる面積を有する構成であれば特に限定されない。例えば、図４（ｂ）に示すように、この本体部１の形状としては、周囲を曲面形状としてもよく、より好ましくは、しずく形状（涙滴形状）であり、握った際の掌にフィットしやすくさらに固定感を高めることができる。
【００３４】
このように、前記本体部１が、前記一の端部Ａ側が前記他の端部Ｂ側より広い面積を有することから、例えば、開口孔２ａに親指を嵌合すると共に開口孔２ｂに人差し指を嵌合する場合には、最も力強くスポーツ用具（例えば、野球バット２００）や各種作業用具を握る親指周辺を重点的に支えると共に、ある程度の可動範囲を必要とする人差し指周辺を必要最低限の厚みで覆うことによって、手との強固な固定感が得られ、強度と固定性を両立したバランスの良い握りを実現することができ、スポーツ用具や各種作業用具から手に伝わる衝撃が抑制されると共に、スポーツ用具や各種作業用具に効率よく強い力を伝えることができる。
【００３５】
なお、各開口孔に嵌合する指については、上記で例示した開口孔２ａに親指を嵌合し開口孔２ｂに人差し指を嵌合する場合に限定されず、例えば、開口孔２ａに人差し指を嵌合すると共に開口孔２ｂに中指を嵌合するなど様々に可能である。
【００３６】
なお、上記実施形態では、複数の円形状の開口孔として、この開口孔２ａおよび開口孔２ｂの２つが配設される構成としたが、この構成に限定されるものではなく、上述した第１の実施形態と同様に、複数の円形状の開口孔として、前記開口孔２ａ〜２ｅのうちの３つ以上が配設される構成とすることも可能である。
【００３７】
（第３の実施形態）
以下、第３の実施形態に係る衝撃吸収部材を図５を用いて説明する。
【００３８】
第３の実施形態に係る衝撃吸収部材は、第１の実施形態と同様に、前記本体部１と、前記指嵌合部２と、前記開口孔２ａと、前記開口孔２ｂと、を備え、さらに、図５（ａ）に示すように、前記本体部１が、各開口孔間（前記開口孔２ａと前記開口孔２ｂとの間）の中間領域３に衝撃吸収材を有する構成である。
【００３９】
この衝撃吸収材としては、特に限定されないが、例えば、ゴム材料、ゲル材料、ウレタン素材、スポンジ素材など、衝撃を吸収可能な各種の部材を用いることができる。
【００４０】
このように、前記開口孔２ａと前記開口孔２ｂとの間の中間領域３が、衝撃吸収材を有することから、例えば、開口孔２ａに親指を嵌合すると共に開口孔２ｂに人差し指を嵌合する場合には、スポーツ用具（例えば、野球バットやテニスラケット）や各種作業用具から最も強い衝撃を受ける親指と人差し指との間の中間領域３で、当該衝撃が吸収されやすくなることとなり、スポーツ用具や各種作業用具から手に伝わる衝撃が抑制されると共に、強度と固定性を両立したバランスの良い握りを実現することができ、スポーツ用具や各種作業用具に効率よく強い力を伝えることができる。
【００４１】
なお、各開口孔に嵌合する指については、上記で例示した開口孔２ａに親指を嵌合し開
口孔２ｂに人差し指を嵌合する場合に限定されず、例えば、開口孔２ａに人差し指を嵌合
すると共に開口孔２ｂに中指を嵌合するなど様々に可能である。
【００４２】
なお、上記実施形態では、複数の円形状の開口孔として、開口孔２ａおよび開口孔２ｂの２つが配設される構成としたが、この構成に限定されるものではなく、上述した第１の実施形態と同様に、複数の円形状の開口孔として、開口孔２ａ〜２ｅのうちの３つ以上が配設される構成とすることができる。
【００４３】
例えば、３つの開口孔を備える場合として、図５（ｂ）に示すように、前記開口孔２ａと、前記開口孔２ｂと、前記開口孔２ｃと、を備え、前記本体部１が、各開口孔間（前記開口孔２ａと前記開口孔２ｂとの間、および、前記開口孔２ｂと前記開口孔２ｃとの間）の中間領域３（すなわち、前記開口孔２ａと前記開口孔２ｂとの間の中間領域３ａ、および、前記開口孔２ｂと前記開口孔２ｃとの間の中間領域３ｂ）のうちの少なくとも１つに衝撃吸収材を有する構成とすることも可能である。例えば、この中間領域３ａと中間領域３ｂの両方に衝撃吸収材を有することも可能であり、また、この中間領域３ａと中間領域３ｂの一方に衝撃吸収材を有することも可能であり、用途に応じて自在に衝撃吸収材を適用することが可能となる。
【００４４】
（第４の実施形態）
以下、第４の実施形態に係る衝撃吸収部材を図６を用いて説明する。
【００４５】
第４の実施形態に係る衝撃吸収部材は、第１の実施形態と同様に、前記本体部１と、前記指嵌合部２と、前記開口孔２ａと、前記開口孔２ｂと、を備え、さらに、図６（ａ）に示すように、前記本体部１が、前記シート状体１ａと前記シート状体１ｂの多層構造のシート状体から形成される構成である。
【００４６】
また、図６（ｂ）に示すように、前記シート状体１ａと前記シート状体１ｂの外周縁に、縁取り部１１を設けることも可能であり、この場合には、前記本体部１が傷みやすい外周縁が強固に補強されることとなり、より強度を高めることができる。
【００４７】
このように、前記本体部１が、前記シート状体１ａと前記シート状体１ｂの多層構造のシート状体から形成されることから、当該多層構造により形成される厚みによって、さらに衝撃が吸収されやすくなることとなり、スポーツ用具（例えば、野球バットやテニスラケット）や各種作業用具から手に伝わる衝撃が抑制されると共に、強度と固定性を両立したバランスの良い握りを実現することができ、スポーツ用具や各種作業用具に効率よく強い力を伝えることができる。
【００４８】
なお、上記実施形態では、複数の円形状の開口孔として、開口孔２ａおよび開口孔２ｂの２つが配設される構成としたが、この構成に限定されるものではなく、上述した第１の実施形態と同様に、複数の円形状の開口孔として、開口孔２ａ〜２ｅのうちの３つ以上が配設される構成とすることができる。
【００４９】
なお、上記の各実施形態に係る衝撃吸収部材では、対象とする球技として野球を例示して挙げたが、野球に限定されるものではなく、ボールをバットやラケット等のスポーツ用具で打撃する各種の球技に適用することができ、例えば、ゴルフクラブ、テニスラケット、ゲートボールラケット、ホッケーラケット、アイスホッケーラケット、ポロラケットなどに対しても幅広く適用することができ、バットやラケットなどの球具から手に伝わる衝撃が抑制されると共に、強度と固定性を両立したバランスの良い握りを実現することができ、球具に効率よく強い力を伝えることができる。
【００５０】
（第５の実施形態）
以下、第５の実施形態に係る衝撃吸収部材を図７および図８を用いて説明する。
【００５１】
第５の実施形態に係る衝撃吸収部材は、第１の実施形態と同様に、前記本体部１と、前記指嵌合部２と、前記開口孔２ａと、前記開口孔２ｂと、を備え、さらに、図７（ａ）に示すように、前記本体部１が、着用者の手の掌側Ｄよりも手の甲側Ｃに厚み部分１２が構成される構成である。図７（ａ）に示すように、着用者の右手のうち例えば開口孔２ａに親指を嵌合して開口孔２ｂに人指し指を嵌合した場合に、着用者の手の掌側Ｄよりも手の甲側Ｃ側に厚み部分１２が構成される。この厚み部分１２は、片面であっても、両面であってもよい。片面の場合には、表面であっても、裏面であってもよい。また、この厚み部分１２は、どのように厚みを形成しても制限されず、例えば、段差があっても、急峻な傾斜であっても、なだらかな傾斜であってもよく、例えば、図７（ａ）に示すように、段差を設けることによって形成することができる。この段差が着用者の手のストッパーとして作用することとなり、スポーツ用具（例えば、野球バットやテニスラケット）や各種作業用具から手に伝わる衝撃を受け易い指間領域での衝撃が吸収されやすくなることとなる。
【００５２】
また、図７（ｂ）に示すように、厚み部分１２上にさらに凸部１２ａを配置した構成によって、さらなる厚さを形成することができ、さらにスポーツ用具（例えば、野球バットやテニスラケット）や各種作業用具から手に伝わる衝撃を受け易い指間領域での衝撃が吸収されやすくなることとなる。また、商品名やマークなどを表示するエンボス文字を用いて凸部１２ａを構成することによって、外観的にも商品の宣伝効果を発揮することが可能となる。
【００５３】
このように、段差を設けることによって厚み部分１２を形成することができ、この場合には、この段差がストッパーとして作用することとなり、着用者の手をしっかりと固定することができき、特に野球などの飛距離を出すような１回あたりの衝撃が強いスポーツに適するものとなる。
【００５４】
一例として、第５の実施形態に係る衝撃吸収部材の構成図を図８に示す。図８に示すように、着用者の手の掌側よりも手の甲側に厚み部分１２が構成される（ＢーＢ’断面図）。
さらに、本体部１の両端側（開口孔２ａと開口孔２ｂの外側）にも端部厚み部分１２ｂを配設することもでき（ＡーＡ’断面図）、この端部厚み部分１２ｂによって、衝撃吸収部材と着用者の手との装着強度をさらに増大させることとなり、強い衝撃を受けた場合にも、その衝撃によって本衝撃吸収部材が手から外れることなく、よりしっかりと着用者の手を固定することが可能となる。
【００５５】
また、厚み部分１２について、上記のように段差を設けることで形成することの他に、図９（ａ）および（ｂ）に示すように、厚み部分１２に段差を設けずに、図９（ｂ）に示すようになだらかな傾斜面を設けることで形成することも可能である（ＣーＣ’断面図）。この場合には、このなだらかな傾斜面によって着用者の手が低負荷状態を維持して緩やかに固定されることとなり、特にショットを継続的に繰り返し手が衝撃を受け続けるテニスなどのスポーツに適するものとなる。
【００５６】
また、本実施形態に係るグリップ用テープは、このように、前記本体部１が、着用者の手の掌側よりも手の甲側が厚いことから、当該厚みによって、スポーツ用具（例えば、野球バットやテニスラケット）や各種作業用具から手に伝わる衝撃を受け易い指間領域での衝撃が吸収されやすくなることとなり、スポーツ用具や各種作業用具から手に伝わる衝撃が抑制されると共に、強度と固定性を両立したバランスの良い握りを実現することができ、スポーツ用具や各種作業用具に効率よく強い力を伝えることができる。
【００５７】
（その他の実施形態）
なお、上記の各実施形態に係る衝撃吸収部材では、前記本体部１は横長の形状としたが、これは一例であり、この横長の形状に限定されない。この他の形状としては、例えば、円形でも良いし、楕円形でも良いし、その他屈曲形状など各種の変形形状でも良い。例えば、図１０（ａ）に示すように、円形とすることもでき、図１０（ｂ）に示すように、屈曲形状とすることもできる。このように、前記本体部１の形状は、使用するスポーツや作業用器具の種類に応じて自在な形状を設計することができ、いずれの場合でも、スポーツ用具や各種作業用具から手に伝わる衝撃が抑制されると共に、強度と固定性を両立したバランスの良い握りを実現することができ、スポーツ用具や各種作業用具に効率よく強い力を伝えることができる。
【００５８】
また、上記の各実施形態に係る衝撃吸収部材は、野球やテニスなどの球技を対象とすることに限定されるものではなく、各種の作業用機具のハンドルに対しても、同様に適用することができる。このような作業用機具としては、例えば、金槌、ハンマー、ハンマードリル、電気ドリルなどが挙げられ、上記の各実施形態に係る衝撃吸収部材を手に装着することによって、打撃時に手に伝わる衝撃を抑えることが可能となる。
【符号の説明】
【００５９】
１  本体部
１１  縁取り部
１２  厚み部分
１２ａ  凸部
１２ｂ  端部厚み部分
２  指嵌合部
２ａ  開口孔
２ｂ  開口孔
２ｃ  開口孔
２ｄ  開口孔
２ｅ  開口孔
３  中間領域
１００  手
１０１  親指
１０２  人差し指
１０３  中指
２００  バット
【図１】
2019111762.tif 000003
【図２】
2019111762.tif 000004
【図３】
2019111762.tif 000005
【図４】
2019111762.tif 000006
【図５】
2019111762.tif 000007
【図６】
2019111762.tif 000008
【図７】
2019111762.tif 000009
【図８】
2019111762.tif 000010
【図９】
2019111762.tif 000011
【図１０】
2019111762.tif 000012
【国際調査報告】
2019111762.tif 000013
2019111762.tif 000014
2019111762.tif 000015
2019111762.tif 000016